(57)【要約】【課題】  確実に袖部を保持でき、厚紙で形成することにより安全かつリサイクルも可能で、更に、多機能性を発揮可能な折り畳みシャツの袖部保持具を提供する。【解決手段】  本発明は袖６の少なくとも一方の袖部先端９をシャツ本体１０の側縁１１から折り曲げて前面に露出させた折り畳みシャツの袖部保持具１２であって、前記折り畳んだシャツ本体１０の前面に露出しているボタン１８の前記シャツ本体１０への取付糸１８１に係止する係止溝からなる係止部１２１が形成された中央部１２２と、前記折り畳んだシャツ本体１０の前面に露出している袖部先端９を保持する保持部１２３を形成した台紙３とからなる。【選択図】図１
2018090324.tif 000002
【特許請求の範囲】
【請求項１】
後身頃の側方向中央上部に当てた台紙に沿って前身頃と後身頃の両側部を裏側に折り曲げて互いに重ねるとともにその上に折り畳んだ袖を配置して前記互いに重ねた前身頃と後身頃をその上下方向の中央およびその下方における折り曲げ部において前記台紙に沿って順に内方へと巻回させて前記袖を包み込んで折り畳んだ状態のシャツ本体を形成するとともに前記包み込んだ袖の少なくとも一方の袖部先端を前記シャツ本体の側縁から折り曲げて前面に露出させた折り畳みシャツの袖部保持具であって、
前記折り畳んだシャツ本体の前面に露出しているボタンの前記シャツ本体への取付糸に係止する係止溝からなる係止部が形成された中央部と、前記折り畳んだシャツ本体の前面に露出している袖部先端を保持する保持部を形成した台紙からなることを特徴とする折り畳みシャツの袖部保持具。
【請求項２】
前記係止部が前記ボタンの直径よりも幅狭の縦長溝であり、前記保持部が前記袖部先端の開口部への差し込み片であることを特徴とする請求項１記載の折り畳みシャツの袖部保持具。
【請求項３】
前記中央部の表面を商品等の表示部としたことを特徴とする請求項１または２記載の折り畳みシャツの袖部保持具。
【請求項４】
前記中央部の上端縁に前記折り畳んだシャツ本体に巻回させた留め帯に形成した係止部と係止する係止部が形成されていることを特徴とする請求項１，２または３記載の折り畳みシャツの袖部保持具。
【請求項５】
前記中央部の上端縁に前記折り畳んだシャツ本体に巻回させた留め帯が一体に形成されていることを特徴とする請求項１，２または３記載の折り畳みシャツの袖部保持具。
【発明の詳細な説明】
【技術分野】
【０００１】
本発明は、襟から後身頃に当てた台紙により身頃の両側部を裏側に折り曲げて重ねるとともに重ねた折り曲げ端を襟方に折り畳んだシャツ本体の裏側から側縁を介して表側へと折り曲げて前面に露出させた袖部先端を保持させる折り畳みシャツの袖部保持具に関するものである。
【背景技術】
【０００２】
従来、ワイシャツなどは型くずれを防ぐとともに、店舗での陳列や商品の選定、更には運搬や保管の便利性を考慮して台紙を用いて折り畳み、少なくとも前面を透明とした包装袋に収納した状態で陳列、販売されている。
【０００３】
図６は従来のシャツの折り畳み状態を示すものであり、始めに図６（ａ）に示すように、襟１と後身頃２に台紙３を当て、図６（ｂ）に示すように重ねた前身頃４と後身頃２の両側部を台紙３に沿って裏側に折り曲げて重ねるとともに重ね部５を折り畳んだ袖６，６を包んでその中央およびその下方における折り曲げ部７、８において順に台紙３に沿って襟１方に折り畳み、少なくとも一方の袖部先端９を折り畳んだシャツ本体１０から側縁１１を介して表側へと折り曲げて前面に露出させることにより図６（ｃ）および図６（ｄ）に示すように折り畳み、これを少なくとも前面を透明とした包装袋（図示せず）に収納するものであって、シャツを選択する際に重要なシャツの素材、柄、襟および袖の形状、ボタンなどが包装袋に入れたままで一瞥できるものであり優れている。
【０００４】
ところで、前記折り畳んだシャツは例えば包装袋から取り出して陳列する場合や商品を確認する場合には店内で包装袋から取り出す必要があり、或いは包装袋に収容した状態でも折り畳み状態が崩れてしまうという問題があり、図６（ｃ）に示すように袖６の部分を金属や硬質の合成樹脂製のクリップからなる袖部保持具１２により固定している。
【０００５】
そのため、購入者は購入したシャツを使用する際に袖部保持具１２を取り外すことになるが、金属や硬質の合成樹脂製のクリップからなる袖部保持具１２は分別して廃棄する必要があり面倒であるとともに多くの場合はそのまま廃棄しまうことから資源的にも問題があるほか、小さい部品であるため幼児のいる家庭では誤飲のおそれもあった。
【０００６】
また、前記従来の折り畳みシャツにおいては図６（ｄ）に示すように重ね部５を中央およびその下方における折り曲げ部７，８において順に台紙３に沿って内方への折り畳み端にも前記袖部保持具１２と同様な金属や硬質の合成樹脂製のクリップからなる重ね部保持具１３が用いられているが、購入者が売り場において包装袋から商品を取り出して確認する際に袖部保持具１２，重ね部保持具１３が抜けて売り場の床に落ちてしまうという問題もある。
【０００７】
そこで、前記袖部保持具１２や前記重ね部保持具１３の抜け落ちを防止するには固定力、即ち、挟持力を強くしないと十分な保持力を発揮できず、そのため挟持力が強力となり生地に留め跡が残ってしまうという問題もあった。
【０００８】
加えて、従来の折り畳みシャツでは図６（ｃ）に示すように、商標、商品の説明、価格などを表示したタグ１４が紐状部材１５により吊下げられており、取り付けが面倒かつタグ１４が裏返ってしまうことがあるだけでなく、使用時はシャツに結ばれた紐状部材１５を解いたり刃物で切断したりする必要があり取り外しが煩雑という問題もあり、特に近頃では紐状部材やタグが合成樹脂により形成されている場合もあり廃棄の際に分別処理の手間も必要である。
【先行技術文献】
【特許文献】
【０００９】
【特許文献１】実開昭５７−７４１７５号公報
【発明の概要】
【発明が解決しようとする課題】
【００１０】
本発明は、前記従来の折り畳みシャツの袖部を固定する袖部保持具が有する前記問題点を解決するためになされたものであり、保持が確実であることは言うまでもなく、厚紙で形成することにより安全であるばかりかリサイクルも可能で、更に、多機能性を発揮可能な折り畳みシャツの袖部保持具を提供することを課題とする。
【課題を解決するための手段】
【００１１】
前記課題を解決するためになされた本発明は、後身頃の側方向中央上部に当てた台紙に沿って前身頃と後身頃の両側部を裏側に折り曲げて互いに重ねるとともにその上に折り畳んだ袖を配置して前記互いに重ねた前身頃と後身頃をその上下方向の中央およびその下方における折り曲げ部において前記台紙に沿って順に内方へと巻回させて前記袖を包み込んで折り畳んだ状態のシャツ本体を形成するとともに前記包み込んだ袖の少なくとも一方の袖部先端を前記シャツ本体の側縁から折り曲げて前面に露出させた折り畳みシャツの袖部保持具であって、前記折り畳んだシャツ本体の前面に露出しているボタンの前記シャツ本体への取付糸に係止する係止溝からなる係止部が形成された中央部と、前記折り畳んだシャツ本体の前面に露出している袖部先端を保持する保持部を形成した台紙からなることを特徴とする。
【００１２】
また、前記係止部が前記ボタンの直径よりも幅狭の縦長溝であり、前記保持部が前記袖部先端の開口部への差し込み片である保持部を形成したことにより構成が簡単で安価に且つリサイクルも可能である。
【００１３】
更に、前記中央部の上下幅が前記保持部の上下幅よりも狭く形成されていることにより装着時の露出を減らして美感を醸し出すとともに強度を保持したままで材料を少なくすることができ、台紙の使用面積を少なくすることにより資源の無駄を防ぐことができる。
【００１４】
更にまた、前記中央部の表面を商品等の表示部としたことによりタグを取り付ける必要性がなく、前記中央部の上端縁に前記折り畳んだシャツ本体に巻回させた留め帯に形成した係止部と係止する係止部が形成されている場合には、前記留め帯に係止することにより互いに固定することができるのでより確実に固定できるとともに、図６（ｃ）に示した折り畳んだシャツ本体の弛みを防止するためのクリップによる重ね部保持具１３を要しない。
【００１５】
特に、前記中央部の上端縁に前記折り畳んだシャツ本体に巻回させた留め帯が一体に形成されている場合には装着が簡単であるばかりか部品点数が減り製品の管理や使用後の処分が容易である。
【発明の効果】
【００１６】
本発明によれば、保持が確実であることは言うまでもなく、厚紙で形成することにより安全でリサイクルが可能で、更に、多機能性を発揮可能な折り畳みシャツの袖部保持具を提供することができる。
【図面の簡単な説明】
【００１７】
【図１】本発明に係る好ましい実施の形態を示すものであり、（ａ）は拡大正面図、（ｂ）は折り畳んだシャツに取り付ける状態を示す正面図、（ｃ）は取り付けた状態を示す正面図、（ｄ）は前記（ａ）（ｂ）（ｃ）に示す実施の形態における異なる態様を示す要部拡大図である。
【図２】異なる実施の形態を示すものであり、（ａ）は拡大正面図、（ｂ）は折り畳んだシャツに取り付けた状態を示す正面図、（ｃ）は前記（ａ）（ｂ）に示す実施の形態における異なる態様を示す正面図である。
【図３】本発明の各種形状を例示する平面図である。
【図４】更に異なる実施の形態を示すものであり、（ａ）は拡大正面図、（ｂ）は折り畳んだシャツに取り付ける状態を示す正面図、（ｃ）は取り付けた状態を示す背面図である。
【図５】図４に示した実施の形態の改良した実施の形態を示すものであり、（ａ）は拡大正面図、（ｂ）は折り畳んだシャツに取り付ける状態を示す正面図、（ｃ）は取り付けた状態を示す背面図である。
【図６】従来例を示すものであり、（ａ）および（ｂ）は折り畳む順序を示す説明図、（ｃ）は折り畳んだ状態の正面図、（ｄ）は（ｃ）の背面図である。
【発明を実施するための形態】
【００１８】
以下に、本発明の好ましい実施の形態について図面を参照して詳細に説明する。尚、前記図６に示した従来例と同一構成部には同一符号を用いた。
【００１９】
図１（ａ）は本発明である折り畳みシャツの袖部保持具１２を示すものであり、折り畳んだシャツは前記図６（ａ），（ｂ）に示した従来例と同様の手順で台紙３を用いて折り畳んだものである。
【００２０】
袖部保持具１２は、全体が適宜の厚さを有する台紙を例えば抜き型により打ち抜いて形成され、前記折り畳んだシャツ本体１０の前面に露出しているボタン１８のシャツ本体１０への取付糸１８１に係止する係止部１２１が形成された中央部１２２と、前記折り畳んだシャツ本体１０の前面にシャツ本体１０の側縁１１を介して表側へと折り曲げて露出している袖部先端９を保持する保持部１２３を有する。前記袖部先端９の保持部１２３が前記袖部先端９の開口部への差し込み片から形成される。
【００２１】
尚、本実施の形態は右側開放の上前立て１６を有する男性用のシャツを用いた場合を示しているが、左側開放の上前立てを有する女性用のシャツの場合には図１（ａ）に示したボタン１８のシャツ本体１０への取付糸１８１に係止する係止部１２１が形成された中央部１２２と、前記折り畳んだシャツ本体１０の前面に露出している袖部先端９を保持する保持部１２３とが左右方向対称に配置されるものを使用する（図示せず）。
【００２２】
そして、図１（ｂ）に示すように保持部１２３を折り畳んだシャツ本体１０の袖部先端９に差し込み、係止部１２１を上前立て１６と下前立て１７との間に差し込むとともにボタン１８のシャツ本体１０への取付糸１８１に上方から差し込むだけで図１（ｃ）に示すように装着することができ、袖部先端９を所定の折り畳み位置に固定することができる。
【００２３】
このとき、本実施の形態では、係止部１２１は下方を開放した逆Ｕ字形の前記ボタン１８の直径よりも幅狭の縦長溝からなることから係止するボタン１８の位置が上下方向にずれていても上下方向に調節可能であり、汎用性を持たせることができるので折り畳み時に袖部先端９とボタン１８との配置位置が多少ずれても支障なく装着することができる。
【００２４】
更に、本実施の形態では中央部１２２の縦幅が、折り畳んだシャツ本体１０の前面に露出している保持部１２３の縦幅よりも狭く形成されているので台紙全体の占有面積を少なくして資源の無駄を省くとともに露出面を少なくしてスマート感を醸し出すことができる。
【００２５】
また、本実施の形態では、図１（ｄ）に示すように中央部１２２に商標、商品の説明などを表示したシートや価格、バーコードなどを表示した表示部材を貼ったり印刷したりすることにより商品などの表示部１９として使用することが可能であり、前記図６（ｃ）に示した従来例のようなタグ１４を紐状部材１５により吊り下げる煩雑な作業が不要で、きわめて便利であり、特に、紐状部材１５により吊り下げたタグ１４とは異なり揺動して裏返ることもなく表示が確実である。
【００２６】
図２は本発明の異なる実施の形態を示すものであり、全体の構成は前記図１に示したものと同様であるが、前記折り畳んだシャツ本体１０の前面にシャツ本体１０の側縁１１，１１を介して表側へと折り曲げて露出している袖部先端９，９に対応するものであり、係止部１２１を有する中央部１２２の両端に袖部先端９，９への保持部１２３，１２３が連接されている点および前記中央部１２２を図２（ｂ）に示すように上前立て１６の表面に配置する点が異なる。
【００２７】
本実施の形態において、前記ボタン１８のシャツ本体への取付糸１８１への係止部１２１が下方を開放した逆Ｕ字形の前記ボタン１８の直径よりも幅狭の縦長溝からなることから、ボタン１８の位置が上下方向にずれていても上下方向に調節可能であるとともにボタン１８により袖部保持具１２の前方向への脱落を防止して袖部先端９，９を容易に保持することができる。
【００２８】
本実施の形態の使用方法は前記図１に示した実施の形態とほぼ同様であるが、係止部１２１を有する中央部１２２の両端に袖部先端９，９への保持部１２３，１２３が連接されていることからきわめて安定した状態で袖部先端９，９を保持することができるとともに中央部１２２が上前立て１６の表面に配置されて露出していることから図２（ｃ）に示すように中央部１２２に商品などの表示部１９を設けた際にきわめて容易に視認可能でありディスプレイ性に優れている。
【００２９】
図３は形状の異なる本発明の実施の形態を示すものであり、本発明は各種形状のデザインや色彩、模様などを選択することにより美的な効果を発揮させることもできる。
【００３０】
また、図３（ａ）に示すように、係止部１２１を鈎形にするものについてはより係止が確実である。
【００３１】
図４は本発明の異なる実施の形態を示すものであり、袖部保持具１２は全体の構成は前記図に示した実施の形態とほぼ同様であるが、中央部１２２の上方に突出した凸部１２４の上端縁１２５の中央に平面矢印形状の係止部１２６が突出されている点が異なる。
【００３２】
一方、符号２０は、台紙により細長矩形状に形成された留め帯であり、折り畳んだシャツ本体１０に巻回させて一端に形成した平面矢印形状の係止突起２０１を他端に形成した弧状の切れ目である係止部２０２に差し込み固定して環状として装着するものであり、本発明である前記袖部保持具１２と同様に前記図６（ｄ）の従来例に示したクリップである重ね部保持部材１３を用いることなしに折り畳んだシャツ本体１０の緩みや崩れを防止するものであり、資源の無駄を省き安全性を向上させるものである。
【００３３】
そして、前記留め帯２０は長さ方向のほぼ中央部に弧状の切り込みにより形成された前記本発明である袖部保持具１２に突出された平面矢印形状の係止部１２６が係止する係止部２０３が形成されている。
【００３４】
本実施の形態では、図４（ｃ）に示すように前記図２に示したものと同様にして装着した本発明である袖部保持具１２の係止部１２６を袖部保持具１２の上方に沿わせて装着した前記留め帯２０の係止部２０３に係止して袖部保持具１２と留め帯２０を互いに固定する。
【００３５】
従って、本実施の形態では袖部保持具１２の保持部１２３を折り畳んだシャツ本体１０の袖部先端９に差し込むとともに係止部１２１をボタン１８のシャツ本体１０への取付糸１８１に係止させることで袖部保持具１２によって確実に袖部先端９を固定するとともに前記留め帯２０と互いに保持し合って所定の装着位置に確実に保持させることができるため、前記従来例に用いられる金属や硬質合成樹脂製のクリップを使用することなく、安全であるとともに分別処理が不要であるばかりかリサイクルも可能で資源保護の面からも好適である。
【００３６】
尚、本実施の形態では留め帯２０が細長矩形状であることから台紙の無駄を省くために袖部保持具１２に係止部１２６を突出させて形成して、留め帯２０に係止部２０３を切り込みにより形成したが、特に限定されるものでなく互いに差し込み係止できればよい。
【００３７】
図５は更に異なる実施の形態を示すものであり、袖部保持具１２は全体の構成は前記図１乃至図４に示した実施の形態とほぼ同様であるが、中央部１２２の上方に同一の台紙により細長矩形状に形成された留め帯２０が一体的に形成されている。
【００３８】
この留め帯２０は前記図４に示した実施の形態と同様に長さ方向のほぼ中央部に弧状の切り込みにより形成された前記本発明である袖部保持具１２に突出された平面矢印形状の係止部１２６が係止する係止部２０３が形成されている。
【００３９】
本実施の形態は、図５（ｃ）および図５（ｄ）に示すように前記図２に示したものと同様にして装着した本発明である袖部保持具１２の上方に位置する留め帯２０を折り畳んだシャツ本体１０に巻回させて一端に形成した平面矢印形状の係止突起２０１を他端に形成した弧状の切れ目である係止部２０２に差し込み固定して環状として装着するものであり、前記図４に示した留め帯２０を別体としたものに比べて装着が容易であるとともに部品点数を減らすことにより製造や管理などの効率を向上させ、破棄する場合も手間が減るという利点を有している。
【符号の説明】
【００４０】
１  襟、２  後身頃、３  台紙、４  前身頃、５  重ね部、６  袖、７  折り曲げ部、８  折り曲げ部、９  袖部先端、１０  シャツ本体、１１  側縁、１２  袖部保持具、１３  重ね部保持具、１４  タグ、１５  紐状部材、１６  上前立て、１７  下前立て、１８  ボタン、１９  表示部、２０  留め帯、１２１  係止部、１２２  中央部、１２３  保持部、１２５、上端縁、１２６  係止部、１８１  取付糸、２０１  係止突起、２０２  係止部、２０３  係止部
【図１】
2018090324.tif 000003
【図２】
2018090324.tif 000004
【図３】
2018090324.tif 000005
【図４】
2018090324.tif 000006
【図５】
2018090324.tif 000007
【図６】
2018090324.tif 000008